(57)【要約】【課題】従来のポップアップ型カード等とは異なる構造を有するメッセージ媒体を提供する。【解決手段】本発明のメッセージ媒体（Ｇ）は、折り目を境にして内側へ屈曲し得る少なくとも一対の対向する側面部（１）と、側面部の前方に連なり中央に開口した窓（２１）を有する正面部（２）と、側面部の後方内側に描写または配設された表現体（４）とを備える。このメッセージ媒体によれば、折り目より前方で内側にある側面部の内前側面が、側面部の伸屈に連動して正面部の窓を開閉し、これにより表現体が露出または隠覆される。そして表現体が露出するとき、それを囲む枠体も立体的に出現するため、受け手に対して強い印象をもってメッセージを伝達することができる。【選択図】図２Ａ
2016027383.tif 000002
【特許請求の範囲】
【請求項１】
折り目を境にして内側へ屈曲し得る少なくとも一対の対向する側面部と、
該側面部の前方に連なり中央に開口した窓を有する正面部と、
該側面部の後方内側に描写または配設された表現体とを備え、
該折り目より前方で内側にある該側面部の内前側面が該側面部の伸屈に連動して該正面部の窓を開閉することにより、該表現体が露出または隠覆されることを特徴とするメッセージ媒体。
【請求項２】
前記表現体は、前記折り目より後方で内側にある前記側面部の内後側面または該側面部の後方に連なる背面部の内側にある内背面の少なくとも一方に連結されており、該側面部の伸屈に連動して変位する可動体を有する請求項１に記載のメッセージ媒体。
【請求項３】
前記側面部は、第１折り目を境にして内側へ屈曲し得る一対の対向する第１側面部と、該第１折り目に略直交する第２折り目を境にして内側へ屈曲し得る一対の対向する第２側面部とからなり、
該第１側面部は、屈曲された該第２側面部の該第２折り目が導入され得る導入スリットを、該第１折り目の端側に有する請求項１または２に記載のメッセージ媒体。
【請求項４】
前記第１側面部は、前記第１折り目から前後方向に拡幅する略鼓形状をしている請求項３に記載のメッセージ媒体。
【請求項５】
請求項１〜４のいずれかに記載のメッセージ媒体の製作に用いられることを特徴とするメッセージ媒体用展開シート。
【請求項６】
折り目を境にして内側へ屈曲し得る少なくとも一対の対向する側面部と、該側面部の前方に連なり中央に開口した窓を有する正面部とを少なくとも備え、該折り目より前方で内側にある該側面部の内前側面が該側面部の伸屈に連動して該正面部の窓を開閉することにより、該側面部の後方内側に描写または配設された表現体が露出または隠覆され得るメッセージ媒体の製作に用いられることを特徴とするメッセージ媒体用展開シート。
【請求項７】
さらに、前記表現体を有する請求項６に記載のメッセージ媒体用展開シート。
【請求項８】
少なくとも前記側面部と前記正面部が一連となっている請求項５〜７のいずれかに記載のメッセージ媒体用展開シート。
【請求項９】
接合箇所が標記されたのり代を、少なくとも前記側面部または前記正面部の外周側に備える請求項５〜８のいずれかに記載のメッセージ媒体用展開シート。
【発明の詳細な説明】
【技術分野】
【０００１】
本発明は、単品としてのみならず、贈答品等に添えて、送り手の様々な思い（メッセージ）を伝達する媒介となるメッセージ媒体と、その製作に用いることができる展開シートに関する。
【背景技術】
【０００２】
お礼やお祝いの気持等（メッセージ）を送り手から受け手へ伝えるためにメッセージカード等のメッセージ媒体が用いられる。一般的には、祝辞等を記載するだけの平面的は紙片（カード、短冊等）が用いられるが、印象や感動を高めてより効果的にメッセージを伝えるために、ポップアップ型カード等も用いられている。
【０００３】
一般的なポップアップ型カードは、カード本体の開披操作により、カード内に仕掛けられた紙片等からなる表現体（オブジェクト）が起立、突出等して、立体感を表出するものである。例えば、このようなポップアップ型カードに関する記載が下記の特許文献にある。
【先行技術文献】
【特許文献】
【０００４】
【特許文献１】実用新案登録第３０７００７８号公報
【発明の概要】
【発明が解決しようとする課題】
【０００５】
もっとも、従来のポップアップ型カードは、基本的に、二つ折り等された平面的なカードを開披したとき、そのカードに仕込まれたオブジェクトが立体的に出現するだけであり、斬新さに欠けていた。このため、従来のポップアップ型カードでは、メッセージの受け手に対して必ずしも十分な驚き、印象、感動等を与えることができず、メッセージの伝達効果が大幅に高まるとは限らなかった。
【０００６】
本発明はこのような事情に鑑みて為されたものであり、従来のポップアップ型カードとは異なる斬新な構造からなり、強い印象等を伴いつつ受け手にメッセージを効果的に伝達できるメッセージ媒体を提供することを目的とする。また、その製作に適した展開シートも併せて提供することを目的とする。
【課題を解決するための手段】
【０００７】
本発明者はこの課題を解決すべく鋭意研究し、試行錯誤を重ねた結果、従来のポップアップ型カード等のように、オブジェクトだけが起立等して出現するだけではなく、そのオブジェクトを内蔵している枠体（または筐体、ボックス等）も立体的に出現する新たな構造を思いついた。この着想を具体化し、発展させることにより、以降に述べる本発明を完成するに至った。
【０００８】
《メッセージ媒体》
（１）本発明のメッセージ媒体は、折り目を境にして内側へ屈曲し得る少なくとも一対の対向する側面部と、該側面部の前方に連なり中央に開口した窓を有する正面部と、該側面部の後方内側に描写または配設された表現体とを備え、該折り目より前方で内側にある該側面部の内前側面が該側面部の伸屈に連動して該正面部の窓を開閉することにより、該表現体が露出または隠覆されることを特徴とする。
【０００９】
（２）本発明のメッセージ媒体は、少なくとも側面部と正面部によって構成される枠体（または筐体）が立体的に出現し得る新たな構造を有する。詳述すると、先ず、側面部が折り目で内側に屈曲された状態にあるとき、正面部の窓は、折り目を境にした両側面部の内前側面により内側から閉塞された状態となる。このとき、側面部の後方内側にある表現体（オブジェクト）は隠覆された状態となり、その全貌を正面部の窓から観ることはできない。
【００１０】
一方、その屈曲された側面部を折り目を境にして外側へ伸展させると、その伸展具合に連動して、正面部の窓を閉塞していた側面部の内前側面は窓の中央側から外周側へ退避し、正面部の窓は開放状態となる。この窓の開放具合に応じて、隠覆されていた表現体（オブジェクト）が露出するようになる。このような動作をするメッセージ媒体の受け手は、先ずは立体的に出現する斬新な枠体に強い驚きや印象等をもち、次にその立体的な枠体によって一層立体的な演出が高められたオブジェクトに感動を覚える。こうして本発明のメッセージ媒体を用いれば、メッセージをより効果的に受け手へ伝達することが可能となる。
【００１１】
《展開シート》
本発明は、上述したメッセージ媒体のみに留まらず、その製作に用いることができるメッセージ媒体用展開シート（適宜、単に「展開シート」という。）としても把握できる。ここで、完成されたメッセージ媒体として観れば、メッセージを示す表現体は必須な構成要素である。しかし、表現体は、上述した側面部や正面部と異なり、本発明のメッセージ媒体を配設する物（箱、包装紙等）に描写された写真、模様、色彩等を、利用、借用、代替等したものでもよい。このような場合も考えると、表現体は、本発明のメッセージ媒体を製作するために用いる展開シートとして観れば、必ずしも必須な構成要素ではない。
【００１２】
そこで本発明の展開シートは、折り目を境にして内側へ屈曲し得る少なくとも一対の対向する側面部と、該側面部の前方に連なり中央に開口した窓を有する正面部とを少なくとも備え、該折り目より前方で内側にある該側面部の内前側面が該側面部の伸屈に連動して該正面部の窓を開閉することにより、該側面部の後方内側に描写または配設された表現体が露出または隠覆され得るメッセージ媒体の製作に用いられることを特徴とするものでもよい。なお、この場合の展開シートでも、後述するように、側面部が第１側面部と第２側面部で構成されたり、第１側面部が略鼓形状をしていたり、導入スリットとなる部分が形成されていると好ましい。
【００１３】
《その他》
本明細書では便宜的に、メッセージ媒体を正面から観る側を前方、その反対側（背面側）を後方とする。また、折り目を境として側面部も前方、後方に分割されるが、折り目は側面部の中央（中心線）でなくてもよく、またその折り目に関して側面部は対称的でなくてもよい。本明細書でいう「第１」、「第２」も便宜的な区別に過ぎず、側面部の配置や形態等を限定するものではない。当然ながら、側面部に連なる正面部または背面部は、側面部の折り目に略平行に延在する。なお、背面部は、メッセージ媒体に必須な構成要素ではない。
【図面の簡単な説明】
【００１４】
【図１Ａ】ギミックボックス（メッセージ媒体）が屈曲状態にあるときの正面図である。
【図１Ｂ】ギミックボックスが伸屈途中にあるときの正面図である。
【図１Ｃ】ギミックボックスが伸展状態にあるときの正面図である。
【図２Ａ】伸屈途中にあるギミックボックスを正面側から見た外観斜視図である。
【図２Ｂ】ギミックボックスを側面側から見た外観斜視図である。
【図３Ａ】伸屈途中にあるギミックボックスの内部を部分的に示す内観斜視図である。
【図３Ｂ】ギミックボックス内に配設されたオブジェクト（表現体）を示す内観斜視図である。
【図４Ａ】ギミックボックスの動作を示す側面図である。
【図４Ｂ】ギミックボックスの動作を示す平面図である。
【図５Ａ】ギミックボックスを製作する展開シートの表面側を示す平面図である。
【図５Ｂ】ギミックボックスを製作する展開シートの裏面側を示す平面図である。
【発明を実施するための形態】
【００１５】
本発明の構成要素に、本明細書中に説明した内容から任意に選択した一つまたは二つ以前の構成要素を付加し得る。いずれの実施形態が最良であるか否かは、対象、要求性能等によって異なる。
【００１６】
《表現体》
表現体は、受け手に伝達するメッセージを文字、模様若しくは色彩等からなる図案、または平面的若しくは立体的な像体により表現したものである。表現体は、屈曲される側面部と正面部の間に収納可能な限り、その形態を問わない。例えば、文字や図案等からなる表現体ならば、側面部の後方に連なる背面部の内側にある内背面に描写することもできる。また、像体からなる表現体であれば、少なくともその一部を、その内背面や折り目より後方で内側にある側面部の内後側面に配設することができる。
【００１７】
特に、表現体の少なくとも一部が、内後側面または内背面の少なくとも一方に連結されており、側面部の伸屈に連動して変位する可動体であると、受け手に対するメッセージの伝達効果が高まって好ましい。なお、その可動体は、側面部を伸屈した際に、前後方向に移動するものでもよいし、その前後方向に略垂直な方向（略上下方向）に移動するものでもよいし、前後と上下に複合化した方向に移動するものでもよい。
【００１８】
メッセージ媒体は、単体または独立してメッセージを伝達するものでも良いが、配設する箱、封筒等の模様や色彩等と融合または協働してメッセージを伝達するものでもよい。例えば、メッセージ媒体を贈答品の収納箱、化粧箱、包装紙等に貼着等する場合、背面部を省略したり、内背面に開口窓を設けて、メッセージ媒体の後方を開口した状態にしておく。この場合、側面部を伸展させて正面部の窓を閉扉すると、メッセージ媒体が貼着等されている背景（化粧箱や包装紙等）と表現体の融合したメッセージが枠体内部から露出する。このようにして、メッセージの演出効果を高めたり、その表現の多様化を図ったりすることも可能である。
【００１９】
《側面部》
本発明のメッセージ媒体の場合、側面部が対向する一対だけしかなくても、その伸屈によって正面部の窓の開閉が可能である。もっとも正面部の窓が、その四方から開閉されると、枠体や表現体の立体感を一層高めることができて、より効果的にメッセージを伝達できる。そこで本発明に係る側面部は、第１折り目を境にして内側へ屈曲し得る一対の対向する第１側面部と、第１折り目に略直交する第２折り目を境にして内側へ屈曲し得る一対の対向する第２側面部とからなると好適である。この際、第１側面部と第２側面部の伸屈が相互に阻害されることがないように、例えば、第１側面部は、屈曲された第２側面部の第２折り目が導入され得る導入スリットを、第１折り目の端側に有すると好ましい。これにより、各側面部の伸屈方向が略直交する場合でも、正面部の窓の開閉がスムーズになされ得る。
【００２０】
この際、第１側面部または第２側面部の少なくとも一方が略鼓形状をしていると好適である。特に、第２側面部の第２折り目が食い込む第１側面部が、その第１折り目から前後方向に拡幅する略鼓形状をしていると好ましい。これにより、正面部の窓が中央側から外周側に開扉されたり、外周側から中央側に閉扉されるようにみえ、窓の開閉によるメッセージの演出効果がより高められる。
【００２１】
《正面部》
窓枠となる正面部やその中央に開口した窓の形態は、メッセージの種類や内容に応じて適宜、適切な形態（意匠）が選択されると好ましい。
【００２２】
《展開シート》
展開シートは、メッセージ媒体を構成する必須部分を有するものであれば、その展開方法（各部の配置、連結の有無等）を問わない。もっとも、メッセージ媒体の必須構成部分である側面部と正面部が少なくとも一連となっていると、メッセージ媒体の製作が容易となり好ましい。また、側面部に設ける各折り目、側面部と正面部の連結部（折り目）などには、折り曲げ加工（折り加工）を容易にするための処理がなされていると好ましい。例えば、折り線（さらには山折り線と谷折り線）の標記、ミシン目加工等がなされていると好ましい。
【００２３】
展開シートは、メッセージ媒体の形態に適した形状に、予め裁断等により調整されているものでも良いし、メッセージ媒体を製作する際に、その適合形状に切り取りまたは切り抜きされるものでもよい。また、メッセージ媒体を構成する各部は、複数枚の展開シートに配置されていてもよいが、１枚の展開シートにまとめて配置されていると効率的である。
【００２４】
メッセージ媒体は、側面部または正面部に係る外縁部分の少なくとも一部が接合されて構成される。それらの接合は、テープ等により行うこともできるが、側面部または前記正面部の少なくとも一部の外周側に設けたのり代を介してなされると、意匠性、製作性等の向上を図れて好ましい。さらに、そののり代に接合箇所が標記されていると、メッセージ媒体の製作が容易となり好ましい。
【００２５】
《用途》
本発明のメッセージ媒体は、例えば、送り手から受け手に対するお礼、お祝い、挨拶等を伝える際（例えば、中元や歳暮の贈答時、誕生日、暑中見舞い、クリスマス、年賀等の際）に使用される。本発明のメッセージ媒体は、単体として使用されてもよいが、贈答品や種々のプレゼント等と組合わせて、それらの包装紙や化粧箱に貼着等されて用いられてもよい。メッセージ媒体の形態、意匠、装飾等は、その用途に応じて適宜選択、変更、調整される。
【実施例】
【００２６】
《全体構成》
本発明のメッセージ媒体に係る一実施例であるギミックボックスＧの正面図を図１Ａ〜１Ｂ（これらをまとめて適宜「図１」という。）に、その外観斜視図を図２Ａおよび図２Ｂ（これらをまとめて適宜「図２」という。）に、その内部を部分的に示す内観斜視図を図３Ａおよび図３Ｂ（これらをまとめて適宜「図３」という。）に示す。各図に示したギミックボックスＧについて詳述することにより、本発明をより具体的に説明する。
【００２７】
ギミックボックスＧは、断面長方形状の外枠を構成する側面部１と、その前方側（図１の手前側）に連なって設けられた正面部２と、その後方側（図１の奥側、図２の右側）に連なって設けられた背面部３と、それらにより構成される枠体（筐体）に内蔵されるオブジェクト４（表現体）とからなる。なお、ギミックボックスＧの各構成要素は厚紙によって構成されている。
【００２８】
側面部１は、一対の対向する縦側面部１１、１２（第１側面部）と、それらに略直交する一対の対向する横側面部１３、１４（第２側面部）とからなる。縦側面部１１は、中央に前後対称に形成された折り目１１３を境にして前後方向に拡幅する略鼓型をしており、折り目１１３の前半部分が縦前側面１１１となり、折り目１１３の後半部分が縦後側面１１２となる。縦側面部１２も縦側面部１１と同様に、折り目１２３を有する略鼓型をしており、折り目１２３の前半部分が縦前側面１２１となり、折り目１２３の後半部分が縦後側面１２２となる。
【００２９】
横側面部１３も、中央に前後対称に形成された折り目１３３を境にして前後方向に拡幅する略鼓型をしており、折り目１３３の前半部分が横前側面１３１となり、折り目１３３の後半部分が横後側面１３２となる。横側面部１４も横側面部１３と同様に、折り目１４３を有する略鼓型をしており、折り目１４３の前半部分が横前側面１４１となり、折り目１４３の後半部分が横後側面１４２となる。
【００３０】
縦側面部１１の折り目１１３の両外端側には、細長い溝状の切れ目１１３ａ、１１３ｂ（導入スリット）が形成されており、縦側面部１２の折り目１２３の両外端側にも、細長い溝状の切れ目１２３ａ、１２３ｂ（導入スリット）が形成されている。
【００３１】
正面部２は、外形が長方形状であるが、その中央にはアーチ状に開口した窓２１が形成されている。背面部３は、長方形状の平面体からなる。
【００３２】
オブジェクト４は起立片４３、４４からなる。起立片４３、４４はそれぞれ、略直角に折り曲げられた略Ｃ字状の支持片４３１、４４１によって、背面部３の内側になる内背面３ａの上空に浮き上がるように支持されている。具体的にいうと、支持片４３１は、起立片４３の裏面に貼着される起立部４３１ａと、横後側面１３２の内側にある内後側面１３２ａに貼着される側部４３１ｂと、内背面３ａに貼着される背部４３１ｃとからなる。支持片４４１は、起立片４４の裏面に貼着される起立部４４１ａと、横後側面１４２の内側にある内後側面１４２ａに貼着される側部４４１ｂと、内背面３ａに貼着される背部４４１ｃとからなる。なお、支持片４３１、４４１の折り曲げ部分は伸屈自在となっている。
【００３３】
《動作》
ギミックボックスＧの動作について、図４Ａおよび図４Ｂ（これらをまとめて適宜「図４」という。）を参照しつつ説明する。図４Ａは各状態におけるギミックボックスＧの側面図を示し、図４Ｂは各状態におけるギミックボックスＧの平面図を示す。
【００３４】
先ず、図４の状態Ｉに示すように、側面部１が屈曲状態にあるとき、ギミックボックスＧは図１Ａに示すように窓２１が全閉状態となっている。このとき、支持片４３１、４４１も屈曲状態となっており、オブジェクト４を構成する起立片４３、４４は正面部２、背面部３および折り畳まれた側面部１の間に秘蔵（隠覆）された状態となっている。
【００３５】
なお、縦前側面１１１の内面である内前側面１１１ａ、縦前側面１２１の内面である内前側面１２１ａ、横前側面１３１の内面である内前側面１３１ａおよび横前側面１４１の内面である内前側面１４１ａが、窓２１を閉じる扉となる。このとき、内前側面１１１ａ、１２１ａの両端部（横側面部１３、１４側）が、内前側面１３１ａ、１４１ａ上に重なった状態となっている。また、縦側面部１１の切れ目１１３ａと縦側面部１２の切れ目１２３ａに、横側面部１３の折り目１３３が入り込み、縦側面部１１の切れ目１１３ｂと縦側面部１２の切れ目１２３ｂに、横側面部１４の折り目１４３が入り込んだ状態となっている。
【００３６】
次に、図４の状態IIに示すように、側面部１を屈曲状態から徐々に伸展していくと、折り目１３３と折り目１４３はそれぞれ、切れ目１１３ａ、１２３ａと切れ目１１３ｂ、１２３ｂから離脱し、内前側面１１１ａ、１２１ａ、１３１ａ、１４１ａが中央から外周側に退避していき、ギミックボックスＧは図１Ｂに示すように窓２１が中央から開扉されていく。
【００３７】
この際、横側面部１３、１４の伸展に連動して、屈曲状態にあった支持片４３１、４４１も、内後側面１３２ａ、１４２ａにそれぞれ連結されていた側部４３１ｂ、４４１ｂを介して伸展する。そして、支持片４３１、４４１の伸展に連動して、それらに支持されていた起立片４３、４４は、内背面３ａの中央付近から外周付近へ浮上しながら移動する。
【００３８】
そして、図４の状態IIIに示すように、側面部１が完全に伸展すると、ギミックボックスＧは、図１Ｃに示すように窓２１が全開状態となり、メッセージを表現したオブジェクト４が所望の位置に立体的に出現する。こうしてギミックボックスＧを操作した受け手は、側面部１とオブジェクト４の立体的な動作に感動しつつ、強い印象をもって送り手の思い（メッセージ）を受け取る。
【００３９】
なお、本実施例に係る各図には、誕生日のお祝いメッセージを想定したオブジェクト４を一例として示した。また内前側面１１１ａ、１２１ａ、１３１ａ、１４１ａは木目調とし、内前側面１１１ａ、１２１ａには窓２１の扉を開く取手も描いた。もっとも、これらの各形態は、メッセージの種類や送り手の好み等に応じて随時変更すればよい。
【００４０】
《展開シート》
上述したギミックボックスＧを製作できる展開シートＳを、図５Ａと図５Ｂ（これらを併せて単に「図５」という。）に示した。展開シートＳは、両面印刷された長方形状の厚紙からなる。図５Ａと図５Ｂは、展開シートＳの表面側と裏面側をそれぞれ示す。但し、ここでいう表面側または裏面側は、展開シートＳ自体の表面側または裏面側であって、ギミックボックスＧとしたときの表面側または裏面側ではない。
【００４１】
展開シートＳには、側面部１、正面部２および背面部３が一連となった本体部ｓ１と、それらと離れて配置された表現体部ｓ２とが描かれている。本体部ｓ１と表現体部ｓ２は、切り取り線を示す外形線（太実線）に沿って切り抜くことにより分離される。なお、上述したギミックボックスＧ（図１〜図４）を構成する各部に対応する展開シートＳ（図５）の各部にも、同じ符号を付した。このため、既述した各部に関する詳細な説明は省略する。
【００４２】
本体部ｓ１は、既述した側面部１のみならず、縦前側面１２１、横前側面１３１および横前側面１４１の各外縁側に、それぞれ、のり代１２４、のり代１３４およびのり代１４４を有する。各のり代には、〇で囲んだ平仮名（接合箇所を示す符号）が記載してある。これらは、同じ平仮名が記載された正面部２の外周縁側に、それぞれ接合されることを示している。なお、本実施例でいう接合は、糊やボンド等を用いて行うと良い。
【００４３】
本体部ｓ１の表面側（図５Ａ）には、折り線も示した。具体的にいうと、山折り線は破線、谷折り線は一点鎖線で示した。この点は、後述する表現体部ｓ２でも同様である。なお、切れ目１１３ａ、１１３ｂ、１２３ａ、１２３ｂとなる部分（太破線部分）は、鋏やカッター等で細長い切り込みを入れておくとよい。
【００４４】
表現体部ｓ２は、起立片４３、４４（オブジェクト４）と、それらを支持する支持片４３１、４４１からなる。これらを、本体部ｓ１がある１枚の展開シートＳから、各外形線（太実線）に沿って切り抜いて分離する。そして、破線に沿って山折りにした支持片４３１、４４１を、〇で囲んだ平仮名（接合箇所を示す符号）が一致する箇所同士で接合（貼り合わせ）する。こうして、上述した可動するオブジェクト４が得られる。
【００４５】
このように、展開シートＳから本体部ｓ１および表現体部ｓ２を切り抜き、それらを所定箇所で接合して、図２または図３に示すように組み立てると、図１に示すようなギミックボックスＧが得られる。
【符号の説明】
【００４６】
Ｇ    ギミックボックス（メッセージ媒体）
Ｓ    展開シート
１    側面部
２    正面部
２１  窓
３    背面部
４    オブジェクト（表現体）
【図１Ａ】
2016027383.tif 000003
【図１Ｂ】
2016027383.tif 000004
【図１Ｃ】
2016027383.tif 000005
【図２Ａ】
2016027383.tif 000006
【図２Ｂ】
2016027383.tif 000007
【図３Ａ】
2016027383.tif 000008
【図３Ｂ】
2016027383.tif 000009
【図４Ａ】
2016027383.tif 000010
【図４Ｂ】
2016027383.tif 000011
【図５Ａ】
2016027383.tif 000012
【図５Ｂ】
2016027383.tif 000013